(57)【要約】      （修正有）【課題】建物内に業者が入ることによるプライバシーの侵害や犯罪行為の発生等の不安がなくて、メンテナンスの容易な発酵分解処理装置を提供する。【解決手段】廃棄有機物が入る開口を設けた処理槽２１内に、その廃棄有機物を攪拌する攪拌部２２を設置し、その攪拌部２２を駆動する駆動部２３を処理槽２１に付設してなる発酵分解処理装置２０において、上記処理槽２１外へコンポストを排出可能とするコンポスト取り出し用開口を、処理槽前壁４３から外部に突出させて上部で開口するよう設けるとともに、コンポスト取り出し用筒体１０２に開閉蓋１０３を取り付けたことを特徴とする発酵分解処理装置２０。【選択図】          図３
2005112644.tif 000002
【特許請求の範囲】
【請求項１】
廃棄有機物が入る開口を設けた処理槽内に、その廃棄有機物を攪拌する攪拌部を設置し、その攪拌部を駆動する駆動部を処理槽に付設してなる発酵分解処理装置において、上記処理槽外へコンポストを排出可能とするコンポスト取り出し用開口を、処理槽前壁から外部に突出させて上部で開口するよう設けるとともに、コンポスト取り出し用筒体に開閉蓋を取り付けたことを特徴とする発酵分解処理装置。
【請求項２】
コンポスト取り出し用筒体において、処理槽前壁から外部に突出する部分の底部を、上向きに傾斜するスロープ状としたことを特徴とする請求項１記載の発酵分解処理装置。
【請求項３】
コンポスト取り出し用筒体が、攪拌部の回転軸を処理槽前壁において支持する支持壁に形成され、攪拌部を支持壁とともに処理槽内から取り出す際に、コンポスト取り出し用開口も支持壁とともに取り外せるようにしたことを特徴とする請求項２記載の攪拌部出し入れ自在型発酵分解処理装置。
【発明の詳細な説明】
【技術分野】
【０００１】
この発明は人や家畜の糞尿、生ごみ等の廃棄有機物を発酵分解する処理装置、特にトイレに好適な発酵分解処理装置に関する。
【背景技術】
【０００２】
従来、トイレとして人や家畜の糞尿、生ごみ等の廃棄有機物を発酵分解する処理装置が使用されている。この発酵分解処理装置１は図７に示すように処理槽２とその処理槽内に設置した攪拌部３とその処理槽外に設置した駆動部４とから構成する。そして、処理槽２はその上壁を全て一枚の開閉自在な上蓋５にし、そこに糞用開口、尿用開口、排気用開口、コンポスト取り出し用開口等を設け、糞尿を開口に導入し、排気を開口から導出するための各接続管６、７、８をそれぞれ立設し、さらにコンポスト取り出し用開口に取っ手９付き置き蓋１０をする。
【０００３】
また、攪拌部３は回転軸１１とその回りに軸線１２に沿って中央で２分割して螺旋状に配置した帯状部材１３（１３ａ、１３ｂ）とそれ等の帯状部材１３を軸線１２より等距離離して支える多数の支持棒１４とから構成する。そして、回転軸１１の両端部を処理槽２の前後壁１５（１５ａ、１５ｂ）の各中央に設けた支持穴（軸穴）に挿通して架設する。なお、回転軸１１に対する帯状部材１３の巻き方向は前部と後部とで反対にする。
【０００４】
また、駆動部４には通常モータを用い、その回転軸１６と攪拌部３の回転軸１１とを例えばチェーン軸継手１７によって連結する。このようにチェーン軸継手１７を用いるのは攪拌部３を製作する際、円筒管を回転軸１１の中央部に用い、その円筒管の軸線１２に沿って多数の支持棒１４を分配して、各支持棒１４の一端部をそれぞれ溶接により円筒管に固定するため、どうしても回転軸１１にねじれ、曲がり等の変形が発生し易く、両回転軸１１、１６の軸線同士が一致しないからである。なお、モータ４はその取付台１８の一端を処理槽２の前壁１５ｂに溶接して固定する。
【０００５】
このような発酵分解処理装置１を用いると、接続管６等から処理槽２内に投入したおが屑中に糞尿や生ごみ等の廃棄有機物を入れ、それ等を攪拌部３により攪拌して、その軸線１２に沿って前後方向に適宜搬送しながら微生物によって発酵させ、コンポストを製造することができる。その際、処理槽２中に特に水等を入れる必要はない。
【０００６】
しかし、上記発酵分解処理装置１では、処理槽２の上壁を全て一枚の開閉自在な上蓋５にし、そこに糞用開口、尿用開口、排気用開口等とともにコンポスト取り出し用開口を設け、このコンポスト取り出し用開口に取っ手９付き置き蓋１０を取り付けているため、コンポストを取り出す際にはいちいち建物内に入って取り出し作業を行う必要があった。
【０００７】
しかも、このような作業には臭気の問題やコンポストが散乱しやすいという問題が伴い、またプライバシーや防犯上からも建物内に入って取り出し作業を行うことは好ましくなかった。
【０００８】
なお、本出願人は先に出願した特開２００２−２０５０３６公報（特許文献１参照）において、駆動部の回転軸と攪拌部の回転軸を共通にし、その駆動部と処理槽の前壁との間にトルクアームを介在して、処理槽後壁に開けた回転軸の支持穴にオイルシールを施し、その回転軸の軸受にころがり軸受を用いることにより、狭い場所でも設置できるようにした発酵分解処理装置を提示した。
【０００９】
また特開２００３−３９０４９公報（特許文献２参照）において、廃棄有機物やコンポストが軸受部分に詰まってトラブルが発生した場合、部品の取り換えや攪拌部全体を取り換える等の修理を、簡単に外部から行えるようにした発酵分解処理装置を提示した。すなわち従来、攪拌部を取り出すには
ａ）先に建物の中に入り、処理槽から大便器、小便器等を取り外す。
ｂ）次に、建物外に出て排気管を取り外した後に、処理槽全体を床下の収容場所から適宜引き出してその処理槽から上部全面を覆う上蓋を取り外し、
ｃ）さらにその処理槽の前壁外側にある駆動部たるモータ、軸受等や後壁外側の軸受等を外す。
という面倒な作業を必要としていた。これを処理槽前壁を構成するベース壁からその攪拌部出し入れ開口の外側を覆って閉鎖している装着脱自在な支持壁を外し、攪拌部の回転軸後端部を処理槽後壁に備えられている回転軸抜き差し自在型シール軸受から引き抜き、その攪拌部出し入れ開口から駆動部と共に支持壁に一体に備え付けられている攪拌部を前方に適宜移動させて、その攪拌部の一部または全部を取り出し、必要個所の点検、修理等を速やかに行うことができるようにしたものである。
【特許文献１】特開２００２−２０５０３６公報
【特許文献２】特開２００３−３９０４９公報
【発明の開示】
【発明が解決しようとする課題】
【００１０】
しかしながら、このような発酵分解処理装置にしても、依然メンテナンスに問題がある。何故なら、上記発酵分解処理装置では、処理槽の上壁を全て一枚の開閉自在な上蓋にし、そこに糞用開口、尿用開口、排気用開口等とともにコンポスト取り出し用開口を設け、このコンポスト取り出し用開口に取っ手付き置き蓋を取り付けているため、コンポストを取り出す際にはいちいち建物内に入って取り出し作業を行う必要があったからである。
【００１１】
しかも上述のように、このような作業には建物内に臭気が充満するという問題やコンポストが散乱して建物内を汚しやすいという問題が伴い、また建物内のプライバシーや防犯の面からも建物内に入って取り出し作業を行うことは好ましくなかった。
【００１２】
この発明はこのような従来の問題点に着目してなされたものであり、建物内に業者が入ることによるプライバシーの侵害や犯罪行為の発生等の不安がなくて、メンテナンスの容易な発酵分解処理装置を提供することを目的とする。
【課題を解決するための手段】
【００１３】
上記目的を達成するために、この発明による発酵分解処理装置では、廃棄有機物が入る開口を設けた処理槽内に、その廃棄有機物を攪拌する攪拌部を設置し、その攪拌部を駆動する駆動部を処理槽に付設してなる発酵分解処理装置において、上記処理槽外へコンポストを排出可能とするコンポスト取り出し用筒体を、処理槽前壁から外部に突出させて上部で開口するよう設けるとともに、コンポスト取り出し用筒体に開閉蓋を取り付けたことを特徴とするものである。
【００１４】
また、この発明による発酵分解処理装置は、コンポスト取り出し用筒体において、処理槽前壁から外部に突出する部分の底部を、上向きに傾斜するスロープ状としたことをも特徴とするものである。
【００１５】
また、この発明による発酵分解処理装置は、コンポスト取り出し用筒体が、攪拌部の回転軸を処理槽前壁において支持する支持壁に形成され、攪拌部を支持壁とともに処理槽内から取り出す際に、コンポスト取り出し用開口も支持壁とともに取り外せるようにしたことをも特徴とするものである。
【発明の効果】
【００１６】
以上説明した本発明によれば、廃棄有機物が入る開口を設けた処理槽内に、その廃棄有機物を攪拌する攪拌部を設置し、その攪拌部を駆動する駆動部を処理槽に付設してなる発酵分解処理装置において、上記処理槽外へコンポストを排出可能とするコンポスト取り出し用筒体を、処理槽前壁から外部に突出させて上部で開口するよう設けるとともに、コンポスト取り出し用筒体に開閉蓋を取り付けたことを特徴としている。
それ故、発酵分解処理装置の使用中にコンポストが処理槽内に充満しそうになっても、コンポストを取り出す際にはいちいち建物内に入って取り出し作業を行う必要がなく、建物内のプライバシーや防犯の面からも好ましい作業方法を採用できるようになり、またこのような作業につきものの、建物内に臭気が充満するという問題やコンポストが散乱して建物内を汚しやすいという問題も解消できる発酵分解処理装置を提供することが可能となった。
【発明を実施するための最良の形態】
【００１７】
以下、添付の図１ないし図６を参照して、本発明の実施の形態を説明する。図１は本発明を適用した攪拌部出し入れ自在型発酵分解処理装置の正面図、図２はその側面図、図３はその平面図、図４は上蓋の平面図、図５は処理槽前壁の正面図、図６は処理槽前壁に取り付ける支持壁の正面図である。
この発酵分解処理装置２０は処理槽２１とその処理槽内に設置した攪拌部２２とその処理槽外に設置した駆動部２３とから構成し、従来のものと基本構造をほぼ同一にする。そして、処理槽２１はその上壁の前部のみを上蓋２４にし、その後部上壁２５に糞用開口２６、尿用開口２７等を設け、前部上蓋２４に排気用開口２８、コンポスト取り出し用開口２９等を設けて、糞尿を開口２６、２７に導入し、排気を開口２８から導出するための各接続管３０、３１、３２をそれぞれ立設する。すると、接続管３０には大便器を接続し、接続管３１には小便器を接続し、さらに接続管３２には先端部に排気ファンを設置した長い排気管を接続することができる。また、コンポスト取り出し用開口２９を取っ手３３付きの置き蓋３４で覆う。
【００１８】
このような前部上蓋２４にはその周辺部に多数箇所例えば４箇所ねじ止め箇所を分散配置し、処理槽２１の本体前部の周壁上縁部にボルト３６を用いて固定する。しかし、後部上壁２５は処理槽２１の本体後部の周壁上縁部に溶接により固定する。その際、前部上蓋２４の前側２隅と後部上壁２５の後側２隅にいずれも頭部３７をリング状にしたボルト３６を配置し、処理槽２１を吊下げ移動可能にして設置し易くする。また、取っ手３３付きの置き蓋３４は簡単に装着脱できるので、コンポスト取り出し用開口２９を処理槽２１内部の点検窓としても利用し易い。
【００１９】
また、攪拌部２２にはその回転軸３８の中央部に円筒管３９を用い、その円筒管３９の回りに軸線４０に沿って中央で２分割して螺旋状に配置した帯状部材４１（４１ａ、４１ｂ）と、それ等の帯状部材４１を軸線４０より等距離離して支える多数の支持棒４２とを備え付ける。なお、回転軸３８に対する帯状部材４１の巻き方向は前部と後部で反対にする。そして、回転軸３８の両端部を処理槽２１の前後壁４３、４４の各中央に設けた軸穴に挿通して架設する。
【００２０】
この処理槽前壁４３は１枚板とせず、溶接によって取り付けるベース壁４５と、そのベース壁４５の中央付近より上部に重ねてねじ止めする支持壁４６とから構成する。そして、ベース壁４５は図５に示すような縦に長い大略長方形状の板体にし、その上部中央に上方まで抜いて、処理槽外へ攪拌部２２を引き出し可能な大きさにした攪拌部出し入れ用のＵ字状開口４７を設ける。また、ベース壁４５にはその攪拌部出し入れ開口４７の周囲近傍に結合用貫通穴４８を多数箇所例えば１０箇所分散配設する。なお、その攪拌部出し入れ開口４７は周囲内面の中央部を底４９にする。
【００２１】
また、支持壁４６は図６に示すような縦方向が僅かに短い長方形状の板体にし、その下寄り中央に回転軸３８を挿通する軸穴５０を設け、その左右両側に少し離して軸受支持のために結合用貫通穴５１（５１ａ、５１ｂ）を設ける。そして、支持壁４６にはその周辺部にベース壁４５の結合用貫通穴４８に対応させて結合用貫通穴５２を１０箇所分散配設する。また、支持壁４６の軸穴５０にオイルシールを施し、その軸受５３としてころがり軸受を用いる。しかし、処理槽後壁４４には一枚の板体を用いて溶接により取り付け、その軸穴に備える軸受５４として回転軸抜き差し自在型シール軸受例えば船のスクリュー用軸受として水中等で使用されている無給油式自動調心型軸受ユニットを用いる。
【００２２】
そして、支持壁４６の前後両側に図３に示すように攪拌部２２と駆動部２３を取り付ける。その際、駆動部２３にはモータ例えば回転数を１２００：１に減速するギャドモータを用い、その回転軸を攪拌部２２の回転軸３８と共通にする。なお、攪拌部２２に用いる各部材の寸法、材質等を選び、加工精度を上げることにより、回転軸３８にねじれ、曲がり等の変形が少ないものを製作して用いる。そして、モータ２３と処理槽２１との間に大略正三角形板状のトルクアーム５５を介在し、そのトルクアーム５５の底辺側一端部をモータ２３の処理槽側に配置したモータ取付板５６に２組のボルト５７等を用いて固定する。また、トルクアーム５５の頂点側一端部に支持穴を設け、その支持穴に首部にねじのないボルト５８を遊嵌して処理槽前壁４３の支持壁４６に固定する。すると、モータ２３と一体に結合したトルクアーム４３を支持壁４６で僅か回動可能に軸支することができる。なお、図６における６５がボルト５８が嵌まる支持穴である。
【００２３】
この発明においては、上記上蓋２４に設けたコンポスト取り出し用開口２９と同様のコンポスト取り出し用開口１０１を、処理槽２１の前壁４３を構成する支持壁４６に設け、コンポスト取り出し用開口１０１にコンポスト取り出し用筒体１０２を外部に突出するよう取り付けた上、上部で開口するよう設けたものである。もちろん、この開口には開閉蓋１０３を取り付けておく。
なおこのように、コンポスト取り出し用開口１０１を処理槽２１の前壁４３を構成する支持壁４６に設けた場合には、コンポスト取り出し用開口２９は設けても、あるいは設けなくとも構わない。１０４は取っ手である。
【００２４】
上記コンポスト取り出し用開口１０１の支持壁４６上の位置は、処理槽２１内に取り付けた攪拌部２２よりも上部が望ましい。これは攪拌部２２で攪拌される廃棄有機物が発酵処理され、処理槽２１内の長さ方向の端部に移動する間にコンポスト化して上昇し、コンポスト取り出し用開口１０１の近傍に近付いてくるためである。もちろん、コンポスト取り出し用筒体１０２から溢れそうなコンポストを取り出すことによって処理槽２１内のコンポストを適時に排出することができる。
【００２５】
なお、この発明の発酵分解処理装置においては、コンポスト取り出し用筒体１０２の処理槽２１前壁から外部に突出する部分の底部を、上向きに傾斜するスロープ状としたことをも特徴とするものである。こうすることによって、コンポストはコンポスト取り出し用筒体１０２に無理なく導入され、コンポスト取り出し用筒体１０２から溢れそうなコンポストを極めて容易に取り出すことができるのである。
【００２６】
またさらに、コンポスト取り出し用開口１０１が、攪拌部２２の回転軸３８を処理槽前壁において支持する支持壁４６に形成している。したがって、メンテナンスを必要とする事態が発生したとき、攪拌部２２を支持壁４６とともに処理槽２１内から取り出す際に、コンポスト取り出し用筒体１０２もコンポスト取り出し用開口１０１に取り付けたまま支持壁４６とともに取り外すことができる。
それ故、発酵分解処理装置の使用中にコンポストが処理槽２１内に充満しそうになっても、コンポストを取り出す際にはいちいち建物内に入って取り出し作業を行う必要がなく、建物内のプライバシーや防犯の面からも好ましい作業方法を採用できるようになり、またこのような作業につきものの、建物内に臭気が充満するという問題やコンポストが散乱して建物内を汚しやすいという問題も解消できるようになった。
【００２７】
そして、モータ２３と攪拌部２２とを共通の回転軸３８にし、モータ２３をトルクアーム５５等を介して処理槽２１の前壁４３を構成する支持壁４６に設置すると、前後両側に攪拌部２２と駆動部２３を支持する支持壁４６が装着脱自在になる。そこで、支持壁４６にはさらにその軸穴５０付近の後面に、攪拌部２２の回転軸３８の前端部を支持する軸受５３への支持を補強して、ベース壁４５に対する支持壁装着時の位置決めに用いる長方形板状の軸受支持補強兼用位置決め部材５９を備え付けておく。なお、軸受支持補強兼用位置決め部材５９には図４に示すようにその中央に軸穴６０を設け、その左右両側に少し離して結合用貫通穴６１（６１ａ、６１ｂ）をそれぞれ設ける。
【００２８】
このような前後両側に攪拌部２２と駆動部２３を備え付けて一体にした支持壁４６を装着する場合、先にベース壁４５の攪拌部出し入れ開口４７の左右両側の最上部にある各結合用貫通穴４８に後側からボルト６２（６２ａ、６２ｂ）をそれぞれ嵌め込み、そのねじ付き軸部を外方に突出しておく。すると、支持壁４６の装着時にベース壁４５に備え付けた両ボルト６２のねじ付き軸部を位置決め突起として用いることができる。そこで、装着の際には処理槽２１の前部上蓋２４を開いて上壁に設けた前部開口（上壁開口）を開けておき、ベース壁４５の上部中央に設けた攪拌部出し入れ開口４７より攪拌部２２を差し込みながら、支持壁４６の左右両側の最上部にある対応する貫通穴５２にそのねじ付き軸部がそれぞれ挿通するように、ベース壁４５に対し支持壁４６を位置決めする。
【００２９】
また、支持壁４６の軸穴５０付近の後面に備え付けた軸受支持補強兼用位置決め部材５９をベース壁４５の攪拌部出し入れ開口４７の底内面４９上に載置する。すると、ベース壁４５に対し支持壁４６を正確に位置決めでき、支持壁４６を後方に押して攪拌部２２の回転軸３８の後端部を処理槽後壁４４に備え付けた回転軸抜き差し自在型シール軸受５４に簡単に挿入できる。なお、ベース壁４５と支持壁４６との間には前以ってシール部材を介在しておく。
【００３０】
このようにして、ベース壁４５の攪拌部出し入れ開口４７を支持壁４６で外側から覆って閉鎖し、処理槽２１の前壁４３を形成した後、その左右両側の最上部から突出しているボルト６２のねじ付き軸部にナットをそれぞれ嵌め、その他の対応する結合用貫通穴４８、５８については対となるボルト６３と、ナットをそれぞれ用いてベース壁４５に対し支持壁４６を結合する。それ故、攪拌部出し入れ開口４７を有するベース壁４５を備えた処理槽２１に対し、前後両側に攪拌部２２と駆動部２３を備えた支持壁４６が装着脱自在となって、駆動部２３が処理槽２１の前壁４３に近付き、発酵分解処理装置２０をコンパクト化することができる。そこで、前部上蓋２４を閉じてその上蓋２４をやはりボルト３６やナット等を用いて装着脱自在に処理槽２１の本体に結合する。すると、発酵分解処理装置２０が完成し、床下等の狭い収容場所でも設置し易くなる。なお、駆動部２３に用いるモータはその頭部を前部上蓋２４の右縁部中央に固定した上閉筒状カバー６４で覆って保護する。
【００３１】
このような発酵分解処理装置２０は使用に先立って大便器を通じて糞用開口２６より或いは置き蓋３４を取ってコンポスト取り出し用開口２９よりおが屑を処理槽２１の内部に投入しておく。そして、使用時には大便器や小便器等を通じておが屑中に糞尿や生ごみ等の廃棄有機物を入れ、それ等をモータ２３により駆動される攪拌部２２より定期的に例えば１日に３回、一定時間攪拌する。そして、毎回攪拌部２２の始動時には攪拌しながら最初に廃棄有機物や製造したコンポスト等を処理槽２１の内部中央に集め、その後前後方向に搬送を繰り返し微生物で発酵させるようにする。その際、モータ２３の運転による特に始動時の大きなトルクにより発生する衝撃をトルクアーム５５で吸収し減衰させて処理槽２１に伝達させることができる。それ故、攪拌部２２の回転軸３８の中央部を形成する円筒管３９が折れ曲がるような円滑回転の障害となる変形が発生しない。しかも、処理槽２１の前後壁４３、４４等に開けた回転軸３８の両軸穴５０、６０等に前壁４３ではオイルシールを施してころがり軸受５３を用い、後壁４４では回転軸抜き差し自在型シール軸受５４を用いたため、廃棄有機物やコンポストの一部が軸穴５０等から外部に漏れることがなく、回転軸３８が円滑に回転し続ける。
【００３２】
しかし、長期間に亘り使用を続けていると、攪拌部２２の溶接による結合箇所等が分離し、一部が変形したり欠けたりする。その際には点検、修理等のメンテナンスを必要とする。そこで、メンテナンスの際には発酵分解処理装置２０を構成する処理槽２１の前部上蓋２４から排気管を取り外し、さらにその前部上蓋２４をボルト３６やナット等を外して取り外せばよく、建物内に入って処理槽２１の後部上壁２５から大便器や小便器を取り外す必要がない。それ故、建物内に業者が入ることによるプライバシーの侵害や犯罪行為の発生等の虞がない。そこで、さらに処理槽２１の前壁４３を構成する支持壁４６のボルト６２、６３、ナット等を外す。すると、処理槽２１の前部上蓋２４の取り外しによる上壁開口やベース壁４５の上部中央の攪拌部出し入れ開口４７を利用して、駆動部２３と共に支持壁４６に一体に備え付けた攪拌部２２を前方に適宜移動させ或いは処理槽２１から全部取り出して必要箇所の点検、修理等を行える。そして、修理等の後にはその攪拌部２２を元通りに処理槽２１内に戻して設置し、ベース壁４５に支持壁４６を結合して前壁４３を形成し、上壁開口を前部上蓋２４で閉鎖し、排気管を取り付ける等すると、発酵分解処理槽２０の使用を再開できる。それ故、発酵分解処理槽２０のメンテナンスが簡単である。
【産業上の利用可能性】
【００３３】
以上説明したこの発明の発酵分解処理装置は、人や家畜の糞尿、生ごみ等の廃棄有機物を発酵分解する処理装置、特にトイレに好適な発酵分解処理装置であり、下水道の普及していない地域、例えば過疎地や行楽地、海浜地方や山岳地方等に設置して極めて有効なトイレ用の発酵分解処理装置を提供することが可能である。
【図面の簡単な説明】
【００３４】
【図１】本発明を適用した攪拌部出し入れ自在型発酵分解処理装置の正面図である。
【図２】その側面図である
【図３】その平面図である。
【図４】上蓋の平面図である。
【図５】処理槽前壁の正面図である。
【図６】処理槽前壁に取り付ける支持壁の正面図である。
【図７】従来の発酵分解処理装置の左側面図である。
【符号の説明】
【００３５】
２０・攪拌部出し入れ自在型発酵分解処理装置
２１・処理槽
２２・攪拌部
２３・駆動部
２４・前部上蓋
２５・後部上壁
２６・糞用開口
２７・尿用開口
２８・排気用開口
２９・コンポスト取り出し用開口
３０、３１、３２・接続管
３４・置き蓋
３６、５７、５８、６２、６３・ボルト
３８・回転軸
４０・軸線
４１・帯状部材
４２・支持棒
４３・前壁
４４・後壁
４５・ベース壁
４６・支持壁
４７・攪拌部出し入れ開口
４８、５１、５２、６１・結合用貫通穴
５０、６０・軸穴
４９・底内面
５３・ころがり軸受
５４・回転軸抜き差し自在型シール軸受
５５・トルクアーム
５６・モータ取付板
５９・軸受支持補強兼用位置決め部材
１０１・コンポスト取り出し用開口
１０２・コンポスト取り出し用筒体
１０３・開閉蓋
【図１】
2005112644.tif 000003
【図２】
2005112644.tif 000004
【図３】
2005112644.tif 000005
【図４】
2005112644.tif 000006
【図５】
2005112644.tif 000007
【図６】
2005112644.tif 000008
【図７】
2005112644.tif 000009